(57)【要約】      （修正有）【課題】静電容量の変化をＣ／Ｆ変換回路で周波数に変換するタッチスイッチにおいて、生成される周波数と同じまたは近い周波数である電波ノイズまたは、電源ノイズによる同期または干渉による誤動作を防止する。【解決手段】発振器４で生成する信号を同期がとれたｓｉｎ信号とｃｏｓ信号とにそれぞれ変換する同期発振回路５、６と、前記ｓｉｎ信号を、インピーダンスを成す部材１０１と前記部材に接続する電極１１１とに印加し、前記部材と前記電極に流れる電流を電圧に変換する電流・電圧変換回路１５と、前記変換された電圧に、前記ｓｉｎ信号及びｃｏｓ信号をそれぞれ掛け算してＤＣ信号を生成する掛け算回路１９、２０と、該ＤＣ信号をそれぞれ安定化させるローパス・フィルタ回路２１、２２とを備え、前記安定化されたＤＣ信号と演算装置に予め格納している閾値とを比較することにより、タッチスイッチのオン、オフ状態を判断する。【選択図】図２
2014230226.tif 000002
【特許請求の範囲】
【請求項１】
絶縁体に、導電性材料からなる電極を配置し、発振器で生成する信号を、同期発振回路により同期がとれたｓｉｎ信号とｃｏｓ信号に変換し、前記ｓｉｎ信号を、インピーダンスを成す部材に印加し、さらに、前記部材に接続する前記電極に印加し、前記部材と前記電極に流れる電流を、電流・電圧変換回路によって電圧に変換し、前記電流・電圧変換回路によって変換した電圧と、前記ｓｉｎ信号及びｃｏｓ信号を掛け算する掛け算回路を設け、該掛け算回路により、前記ｓｉｎ信号及び前記ｃｏｓ信号をＤＣ信号に変換し、該ＤＣ信号をローパス・フィルタ回路により安定化させ、前記安定化したＤＣ信号の電圧を計測し、該計測した電圧と演算装置に予め格納している閾値とを比較することにより、タッチスイッチのオン、オフ状態を判断することを特徴とする静電容量結合方式静電センサー。
【発明の詳細な説明】
【技術分野】
【０００１】
本発明は、入力方式に静電容量結合方式を利用した入力装置に関するものである。
【背景技術】
【０００２】
静電容量結合方式を利用した入力装置として、従来から、タッチスイッチが知られている。静電容量結合方式タッチスイッチは、パネルスイッチと制御基板から構成される。パネルスイッチは、フィルム（ポリエチレンステレフタートフィルム：ＰＥＴフィルムが使用されている。）の表面にスイッチ電極として銀ペースト、またはＩＴＯ（酸化インジウムスズ）等を印刷した電極フィルムを、アクリルやガラス及び樹脂等の絶縁基材に接着剤（両面テープ等）で貼り合わせたもので構成される。スイッチ電極に指または手が近づくと、スイッチ電極と指または手との間に平行板コンデンサが形成され静電容量が発生する。この静電容量の変化をコンデンサＣと抵抗Ｒとで形成するＣ／Ｆ変換回路（静電容量Ｃを周波数Ｆに変換する回路）で周波数に変換し、その周波数をインプットキャプチャ機能（周波数の数を数える機能）でデジタルデータに置き換え、演算処理によりタッチスイッチのオン／オフ状態を判断する。スイッチ電極が複数個の場合、スイッチ電極の選択は、個々のスイッチ電極分設けた切換回路により行う（特開２００５−０８４９８２号公報  参照）。
静電容量結合方式を利用したタッチスイッチは、アクリルやガラス及び樹脂等の絶縁基材を介して指または手が触れることのできる領域をスイッチ電極とし、指または手がそのスイッチ電極に近づいたことを検出するものであり、タッチスイッチのオン／オフを検出するデジタル入力装置である。
スイッチ電極は、電気的に導通する導電性材料を前記ＰＥＴフィルム表面に、スクリーン印刷方式により印刷して電極フィルムを形成している。スクリーン印刷は、オープニングと呼ばれる糸と糸の間の空間（スクリーン版）からスキージ（ゴムのヘラ、または金属のヘラ）を使ってインキを押し出し、画像パターンを形成する印刷法である。スクリーン印刷は、古くから捺染や印染などの伝統工芸として日本に根付いている工法である。
また、できあがった画像パターンの厚みは、使用したスクリーン版の厚みと同じである。現在、スクリーン印刷は、エレクトロニクス分野ではなくてはならない工法として確立しており、プリント配線板や電子部品、フラットパネルディスプレイ、自動車メーターなどを製造する工程には、必ずスクリーン印刷法が用いられていることが知られている。
【０００３】
スイッチ電極は、スクリーン印刷方式により前記ＰＥＴフィルムの表面に導電性材料である銀ペースト（物質は銀）インクまたは、ＩＴＯ（酸化インジウム）（物質は錫）インクを用いて印刷することで電極フィルムを形成している。スイッチ電極を形成するためのスクリーン版の厚さは１０〜３０μｍの版を使用している。スクリーン版で使用する導電性材料である銀ペーストインクの抵抗値は少ないが、それでも数Ω〜数百Ω/ ｃｍ２の面積抵抗を持っている。また、同様に導電性材料であるＩＴＯ（酸化インジウムスズ）インクの場合、抵抗値は高く数Ω〜数ｋΩ/ ｃｍ２にもなる面積抵抗を持っている。
スクリーン印刷方式で印刷されたスイッチ電極は、スキージの移動速度で決まる印刷速度、インクの粘度、印刷環境による版の伸び、縮みにより、印刷毎にスイッチ電極の大きさ、厚みが数ｍｍ単位、および数μｍ単位で違い、大きさ、厚みのばらつきを０にすることは難しいとされている。そのため、印刷毎のスイッチ電極の抵抗値は一定にならず、印刷毎の抵抗値のばらつきを０Ωに抑えることは難しいとされている。
【０００４】
前記電極フィルム上に、スイッチ電極を形成したスイッチを、タッチスイッチの入力領域として使用したときの周波数は、前記コンデンサＣと抵抗Ｒによりｔ＝０．７×Ｃ×Ｒで表せる。スイッチ電極はΔＲの抵抗値を持つ。スイッチ電極の周波数は、抵抗Ｒにスイッチ電極の抵抗値ΔＲが足された周波数として生成される。周波数ｔはｔ＝０．７×Ｃ×（Ｒ＋ΔＲ）で表せる。
【０００５】
図１の様にスイッチ電極が、４個の場合の周波数を求めてみる。スイッチ電極のタッチスイッチをＳＷ１からＳＷ４としたときの抵抗値はＳＷ１（抵抗値：ΔＲ１）、ＳＷ２（抵抗値：Δ２）、ＳＷ３（抵抗値：Δ３），ＳＷ４（抵抗値：Δ４）で表せる。各スイッチ電極の周波数は
ＳＷ１の周波数ｔ＝０．７×Ｃ×（Ｒ＋ΔＲ１）
ＳＷ２の周波数ｔ＝０．７×Ｃ×（Ｒ＋ΔＲ２）
ＳＷ３の周波数ｔ＝０．７×Ｃ×（Ｒ＋ΔＲ３）
ＳＷ４の周波数ｔ＝０．７×Ｃ×（Ｒ＋ΔＲ４）
で表せる。
また、前記スクリーン印刷での印刷毎に数Ω〜数１０Ω単位での抵抗値のばらつきがある。ばらつきの抵抗値をΔｒとしたときの印刷毎の各周波数は
ＳＷ１の周波数ｔ＝０．７×Ｃ×（Ｒ＋Δ１＋Δｒ）
ＳＷ２の周波数ｔ＝０．７×Ｃ×（Ｒ＋Δ２＋Δｒ）
ＳＷ３の周波数ｔ＝０．７×Ｃ×（Ｒ＋Δ３＋Δｒ）
ＳＷ４の周波数ｔ＝０．７×Ｃ×（Ｒ＋Δ４＋Δｒ）
で表せる。
また、近年デジタル技術を利用した電子回路が広く用いられるようになり、デジタル信号の低域から高域までの周波数による電波障害が起こりやすい状況になっている。
たとえば、テレビ等の電化製品の側にラジオ受信機を持っていくと、ザーとかブーといったノイズ雑音が入る。これはラジオ受信機が電化製品から発生している電波ノイズを拾ってしまうことでおきる。
また、ラジオ受信機にＡＣ電源を供給して使う場合、家庭用電源の配線によっては、ＡＣ電源ラインにノイズが混入し、電源ノイズとして拾ってしまうこともある。同じＡＣ電源コンセントにテレビ等の電化製品とラジオ受信機をつなげて使用したとき、つなげた電化製品から発生した電源ノイズをラジオ受信機が拾ってしまいノイズによりラジオが鳴らない、雑音が入ってしまう等の誤作動を生じる。
生活環境下での前記ノイズ混入に対する対策は、機器にノイズを混入させない様な対策、またはノイズを受けても障害を発生させないようにノイズ耐性を向上させる対策がある。      
【０００６】
しかし、生活環境下では、どの様なノイズが機器に混入されるかわからないために、ノイズ防御対策が難しくなっているのが現状である。
前記静電容量の変化をＣ／Ｆ変換回路で周波数に変換する方式は、静電容量の変化をＣ
／Ｆ変換回路で周波数（ｔ＝０．７×Ｃ×（Ｒ＋ΔＲ））に変換し、その周波数の変化をインプットキャプチャ機能でデジタルデータに置き換えている。この方式は周波数を用いて動作させていることで、生活環境下で発生するノイズである周波数の混入による影響は、避けられないのが現状である。
【０００７】
また、前記、静電容量の変化をＣ／Ｆ変換回路を用いて周波数に変換する方式で、前記フィルムにスイッチ電極を印刷した電極フィルムを、タッチスイッチとして使用したときに生成される周波数は、スイッチ電極の形状により得られる抵抗値が違うことでスイッチ電極ごとに違う周波数になることがわかる。
【先行技術文献】
【特許文献】
【０００８】
特開２００５−０８４９８２号公報
【発明の開示】
【発明が解決しようとする課題】
【０００９】
特許文献１では、静電容量の変化をＣ／Ｆ変換回路で、周波数に変換する方式のスイッチ電極に、スイッチ電極で得られる周波数と、同じまたは近い周波数である電波ノイズまたは供給電源より同じ、または近い周波数である電源ノイズが混入されると、Ｃ／Ｆ回路で生成される周波数と、ノイズの周波数とが互いに周波数との同期または干渉が起こる。そのため、Ｃ／Ｆ回路で生成される周波数とノイズの周波数の同期または干渉は、スイッチ電極に指または人が近づいても静電容量が変化しない状態となり、スイッチ電極に指が触ったにもかかわらず、スイッチの入力ができない状態になり、誤動作を生じてしまう。
スイッチ電極は、大きさの違いにより生成される周波数が変わるため、大きさの違うスイッチ電極が増える程、生成される周波数の種類が多くなる。そのため生成される周波数と同じまたは近い周波数である電波ノイズまたは、電源ノイズによる同期または干渉により誤動作が増えてしまう。静電容量の変化をＣ／Ｆ変換回路で周波数に変換する方式では、個々のスイッチ電極が使用している周波数に対し、発生するノイズの周波数より±数１０ＫＨｚの値の周波数が離れないと、ノイズの影響を受け、スイッチ電極に指が触れてもスイッチ電極がＯＮ、またスイッチ電極より指を離してもＯＦＦになる周波数にならない。
そのため、スイッチ電極の大きさの違いにより、使用している異なった周波数が多くなる程、ノイズの影響によるスイッチが誤動作してしまう周波数の範囲が広がり、ノイズの影響による誤動作防止の対処が非常に困難になる。
【００１０】
また、静電容量の変化を、Ｃ／Ｆ変換回路を用いて、周波数をインプットキャプチャ機能（周波数の数を数える機能）でデジタルデータに置き換え、演算処理によりタッチスイッチのオン／オフ状態を判断している。周波数がインプットキャプチャ機能で周波数の数を数えていることで、スイッチ電極ごとに周波数の数が変わり、動作速度を一定かつ、速度を上げることが非常に困難である。
【課題を解決するための手段】
【００１１】
絶縁体に、導電性材料からなる電極を配置し、発振器で生成する信号を、同期発振回路により同期がとれたｓｉｎ信号とｃｏｓ信号に変換し、前記ｓｉｎ信号を、インピーダンスを成す部材に印加し、さらに、前記部材に接続する前記電極に印加し、前記部材と前記電極に流れる電流を、電流・電圧変換回路によって電圧に変換し、前記電流・電圧変換回路によって変換した電圧と、前記ｓｉｎ信号及びｃｏｓ信号を掛け算する掛け算回路を設け、該掛け算回路により、前記ｓｉｎ信号及び前記ｃｏｓ信号をＤＣ信号に変換し、該ＤＣ信号をローパス・フィルタ回路により安定化させ、前記安定化したＤＣ信号の電圧を計測し、該計測した電圧と演算装置に予め格納している閾値とを比較することにより、タッチスイッチのオン、オフ状態を判断する静電容量結合方式静電センサーを提案するものである。
【発明の効果】
【００１２】
本発明では、抵抗値が異なるスイッチ電極を使用した場合でも、ｓｉｎ信号と９０度位相の違うｃｏｓ信号の２つを電流・電圧変換回路の出力に掛算回路で掛けることにより、真の電流値のＡＣ信号だけが、ＤＣ信号を含む２倍のＡＣ周波数になり、ローパスフィルタを通すことで２倍のＡＣ周波数がなくなり、ＤＣ信号のみとなる。このＤＣ信号を計測することにより、スイッチ電極より指および手が離れている場合、すなわち、スイッチ電極と指および手との間に静電容量が少ない場合と、スイッチ電極に指および手が近接している場合、すなわち、スイッチ電極と指および手との間に静電容量が多い場合において、ＤＣ信号の大きさに違いが計測でき、抵抗値が異なるスイッチ電極を使用しても、異なる周波数は発生しない。そして、スイッチ電極が接続されても、前記掛算回路で掛けることにより、全てｓｉｎ信号の周波数より高い周波数となり、高い周波数のＡＣ信号のままローパスフィルタを通すことで、ノイズをなくすことができる。そのため、ｓｉｎ信号の周波数以外のノイズ周波数がスイッチ電極に混入されても正確にスイッチ電極と指および手との間に静電容量が発生し、タッチスイッチのオン／オフの状態を検出することができる。
【００１３】
さらに、ｓｉｎ信号の周波数と同じノイズ周波数の混入を検出するため、ｓｉｎ信号をスイッチ電極に印加しない状態で、静電容量の発生を検出する。静電容量の変化を検出した場合には、同じノイズ周波数の混入と判断して、ｓｉｎ信号、ｃｏｓ信号の周波数を変更する。
【００１４】
また、静電容量の変化をＣ／Ｆ変換回路を用いて周波数に変換する方式で使用する、電極フィルムのスイッチ電極をタッチスイッチとして使用することができる。すなわち、１つのタッチスイッチをなす、最小限のスイッチ電極の数を１つとして使用することができる。
【図面の簡単な説明】
【００１５】
【図１】スイッチ電極の周波数。
【図２】本実施例の入力装置構成図。
【図３】本実施例の掛算回路波形図。
【図４】本実施例の入力信号レベルと位相差図。
【図５】本実施例のスイッチ計測時の指とスイッチ電極の関係図。
【図６】本実施例のｓｉｎ信号掛算波形図。
【図７】本実施例のノイズ計測時の入力装置構成図。
【図８】本実施例のノイズ計測時の指とスイッチ電極の関係図。
【図９】本実施例のゼネラルフローチャート。
【図１０】本実施例のメモリ構成図。
【発明を実施するための形態】
【００１６】
本発明では、抵抗値が異なるスイッチ電極を使用した場合でも、発振器で生成する信号を同期発信回路による２つのｓｉｎ信号と９０度位相の違うｃｏｓ信号の２つを発信し、ｓｉｎ信号の一方は増幅回路経由で、インピーダンスを成す部材（例えば、コンデンサや抵抗など）に印加し、前記部材を介して、前記電流・電圧変換回の抵抗Ｒに接続し、さらに、増幅したｓｉｎ信号は、前記部材に接続するスイッチ電極に接続する。パネルスイッチは、フィルム（ポリエチレンステレフタートフィルム：ＰＥＴフィルムが使用されている。）の表面にスイッチ電極として銀ペースト、またはＩＴＯ（酸化インジウムスズ）等を印刷した電極フィルムを、アクリルやガラス及び樹脂等の絶縁基材に接着剤（両面テープ等）で貼り合わせたもので構成される。
【００１７】
ｓｉｎ信号のもう一方は、２つの掛算回路の一つに接続され、また、ｃｏｓ信号はもう一つの掛算回路に接続される。電流・電圧変換回路の出力は、増幅回路を経由して、バンドパスフィルタを介して、それぞれ２つの掛算回路に接続し、それぞれｓｉｎ信号・ｃｏｓ信号と掛けられる。真の電流値のＡＣ信号だけが、ＤＣ信号を含む２倍のＡＣ周波数になり、ローパスフィルタを通過することでＤＣ信号になる。
前記スイッチ電極へ混入されるｓｉｎ信号とｃｏｓ信号の周波数以外のノイズは、全てｓｉｎ信号・ｃｏｓ信号との掛算によりｓｉｎ信号・ｃｏｓ信号の周波数より高い周波数のＡＣ信号になりｓｉｎ信号・ｃｏｓ信号の周波数より十分低いローパスフィルタを通すことで０Ｖの直流電圧にできる。
【００１８】
また、発振器で生成する信号の周波数を制御することで、発振器からの信号を同期発信回路によりｓｉｎ信号、ｃｏｓ信号に変換して、ｓｉｎ信号、ｃｏｓ信号の周波数の設定を行うことができる。そして、バンドパスフィルタを設けて、使用するｓｉｎ信号の周波数の帯域の高調波成分のノイズをとることができるため、ｓｉｎ信号の周波数に対応したバンドパスフィルタを使用することが望ましい。
ここで、電源投入時等の初期化の状態では、インピーダンスを成す部材に接続する部材に接続する個々のスイッチ電極から、指および手等が十分に離れている状態での、ｓｉｎ信号との掛算による検出信号Ｘとｃｏｓ信号との掛算による検出信号Ｙより、入力信号のベクトル値を制御装置に保存する。このときのベクトル値を、オフセット値と呼び、ｓｉｎ信号側をＸｏｆｆｓｅｔ値、ｃｏｓ信号側をＹｏｆｆｓｅｔ値と呼ぶことにする。このときのオフセット値は、増幅器回路を経由したｓｉｎ信号を印加するインピーダンスを成す部材（例えば、コンデンサや抵抗など）に接続する個々のスイッチ電極と、指および手等との間にコンデンサが形成されず、増幅器回路を経由してｓｉｎ信号を印加したインピーダンスを成す部材に流れる電流が流れるのみで、個々のスイッチ電極と指および手等との間に電流が流れない状態での、インピーダンスを成す部材に流れる電流を計測した値である。
そして、指および手等とスイッチ電極の状態を計測する場合、増幅器回路を経由したｓｉｎ信号を、印加するインピーダンスを成す部材に接続する個々のスイッチ電極と、指および手等との間にコンデンサが形成されることによって、インピーダンスを成す部材に流れる電流の一部が、個々のスイッチ電極と指および手等との間に流れる。そのときのｓｉｎ信号との掛算による検出信号Ｘとｃｏｓ信号との掛算による検出信号Ｙとから入力信号のベクトル値を保存し、このベクトル値とオフセット値の差分が、個々のスイッチ電極と指および手等との間の形成されたコンデンサの静電容量の代替特性である式ルート（（Ｘ-Ｘｏｆｆｓｅｔ）の二乗＋（Ｙ-Ｙｏｆｆｓｅｔ）の二乗）で計算される。
この計算した値が、閾値以上の場合は、スイッチ電極に、指および手等が近接しているとして、タッチスイッチのオンと判断し、閾値以下の場合は、スイッチ電極から指および手等が離れているとして、タッチスイッチのオフと判断する。さらに、もう一つ閾値を設けることにより、計算前のタッチスイッチのオンまたはオフの状態に対応した２つの閾値の使用ができ、計算した値に対してタッチスイッチのオンとオフにヒステリシスの制御を行うこともできる。
同様にして、他のスイッチ電極も行う。
ここで、スイッチ電極へ混入するｓｉｎ信号と同じ周波数のノイズを計測する場合には、増幅器回路を経由したｓｉｎ信号を、インピーダンスを成す部材及びインピーダンスを成す部材に接続する個々のスイッチ電極に印加しない状態で計測する。そのときのオフセット値を０とする。そして、計測時は、ｓｉｎ信号との掛算による検出信号Ｘとｃｏｓ信号との掛算による検出信号Ｙから入力信号のベクトル値を式ルート（Ｘの二乗＋Ｙの二乗）にし、この値が、ノイズの混入の有無を判断する値以上のときには、ノイズの混入があると判断して、発振器で生成する信号の周波数を変更する。
そして、初期化時に、スイッチ電極をドライブするｓｉｎ信号と、同じ周波数のノイズがないかを前述のようにして、ノイズの混入の有無を判断する。ノイズの混入の場合には、発振器で生成する信号の周波数を変更し、発振器からの信号を同期発信回路によりｓｉｎ信号、ｃｏｓ信号の周波数を変更し、再度、ノイズの混入の有無を判断する。ノイズがないと判断した場合は、スイッチ電極の計測を行い、タッチスイッチのオン／オフを行う。
【実施例】
【００１９】
以下、実施例により本発明を詳細に説明する。まず、本実施例を図２〜１０を用いて説明する。
【００２０】
図２に、本実施例の入力装置のタッチスイッチのオン／オフを計測する場合の構成図を示す。まず、制御装置２は、ＣＰＵ３と、プログラムと定数（例えば閾値）を内蔵するＲＯＭ２８と、ワーキングメモリを内蔵するＲＡＭ２９と、信号をｓｉｎ信号、ｃｏｓ信号に変換する同期発信回路５，６に信号を出力する発振器４、ｓｉｎ信号を供給するコンデンサ１０１〜１０４を選択する切替回路８を制御し、スイッチ８１〜８４を選択するスイッチ選択２７と、コンデンサ１０１〜１０４を選択した際に接続するスイッチ電極群１１のスイッチ電極１１１〜１１４と、コンデンサ１０１〜１０４及びスイッチ電極１１１〜１１４の電流を計測する抵抗１４とその抵抗１４の両端の電圧を検出する電流電圧変換回路１５に接続するために、スイッチ１３１〜１３４を選択する切替回路１３を制御するスイッチ選択２６と、切替回路１３からの電流を検出ために一方をＧＮＤ接続した抵抗１４と、抵抗１４の両端の電圧を検出する電流電圧変換回路１５と、電流・電圧変換回路１５の電圧を増幅する増幅回路１６と、増幅回路１６に接続するバンドパスフィルタ回路１７と、バンドパスフィルタ回路１７よりｓｉｎ信号の周波数帯域に対応したバンドパスフィルタ回路１７のバンドフィルタ１７１〜１７３の何れかを選択する切替回路１８を制御するスイッチ選択２５と、同期発信回路５からのｓｉｎ信号とバンドパスフィルタ回路１７のバンドフィルタ１７１〜１７３の何れかを介したｓｉｎ信号とを掛算し、ローパスフィルタ２１を介した信号をデジタルデータに変換するＡ／Ｄ変換回路２３と、同期発信回路６からのｃｏｓ信号とバンドパスフィルタ回路１７のバンドフィルタ１７１〜１７３の何れかを介したｓｉｎ信号とを掛算し、ローパスフィルタ２２を介した信号をデジタルデータに変換するＡ／Ｄ変換回路２４と、２つのＡ／Ｄ変換回路２３、２４のデジタルデータを演算して、タッチスイッチのオンまたはオフ情報を外部処理装置３１に出力する外部Ｉ／Ｆ３０とから構成している。
そこで、本実施例では、タッチスイッチの数を４個設けたものを例に説明する。入力エリア１２１は、スイッチ電極群１１のスイッチ電極１１１に近接または離れた状態をタッチスイッチのオンまたはオフ情報として生成するための入力エリアであり、同様に、入力エリア１２２は、スイッチ電極１１２に近接または離れた状態をタッチスイッチのオンまたはオフ情報として生成するための入力エリアであり、入力エリア１２３は、スイッチ電極１１３に近接または離れた状態をタッチスイッチのオンまたはオフ情報として生成するための入力エリアであり、入力エリア１２４は、スイッチ電極１１４に近接または離れた状態をタッチスイッチのオンまたはオフ情報として生成するための入力エリアである。そして、パネルスイッチ９を構成するＰＥＴフィルムの表面に銀ペースト、またはＩＴＯで印刷したスイッチ電極群１１のスイッチ電極１１１〜１１４に使用者の指１は、パネルスイッチ９を構成する絶縁基材（アクリルやガラス及び樹脂等）を介して、スイッチ電極１１１〜１１４にタッチする。
本実施例では、入力エリアとスイッチ電極を１対１で説明しているが、複数のスイッチ電極を１つの入力エリアとして、１つのタッチスイッチのオンまたはオフ情報として生成してもよい。
また、発振器４から出力する発振周波数の種類を３個とし、このｓｉｎ信号の周波数の帯域を通過させるバンドパスフィルタの種類も３個として説明する。
制御装置２のＣＰＵ３によって発振器４から出力する発振周波数を設定し、発振器４から出力する信号を２つの同期発信回路５、６より、ｓｉｎ信号とｃｏｓ信号を９０度の位相差に変換して出力する。この発振周波数の設定の際には、スイッチ選択２５より切替回路１８のスイッチ１８１〜１８３を制御してｓｉｎ信号の周波数の帯域に対応したバンドパスフィルタ回路１７のバンドパスフィルタ１７１〜１７３の何れかに設定する。
そして、ｓｉｎ信号は増幅回路７により、４個のスイッチ電極群１１のスイッチ電極１１１〜１１４に印加する線を選択する切替回路８に接続する。スイッチ選択２７より切替回路８を制御し、スイッチ８１〜８４の何れかを選択し、スイッチ８１〜８４に対応したコンデンサ１０１〜１０４に印加し、さらにコンデンサ１０１〜１０４を介して接続するスイッチ電極群１１のスイッチ電極１１１〜１１４にも印加する。一方、選択して印加しているコンデンサ１０１〜１０４とスイッチ電極群１１のスイッチ電極１１１〜１１４に、対応するスイッチ選択２６より切替回路１３のスイッチ１３１〜１３４を制御して、抵抗１４に接続する。そして、抵抗１４を介してＧＮＤ、または、本実施例では記載していなしが、印加するｓｉｎ信号の中点の電圧などの一定の電圧に接続し、この抵抗１４に流れる電流を計測する。
このとき、接続しないスイッチ電極は、スイッチ選択２７より切替回路８を、スイッチ選択２６より切替回路１３を制御して、未接続にするか、または、本実施例では記載していなしが、印加するｓｉｎ信号の中点の電圧などの一定の電圧に接続する。
選択して印加しているコンデンサ１０１〜１０４とスイッチ電極群１１のスイッチ電極１１１〜１１４に流れる電流ｉ１〜ｉ４は、抵抗１４を通過することで電圧Ｅ１〜Ｅ４に変換し、増幅回路１６で増幅する。そして、スイッチ選択２５より切替回路１８を制御して発振器４より出力する発振周波数によって、生成するｓｉｎ信号の帯域に対応するバンドパスフィルタ回路１７のバンドパスフィルタ１７１〜１７３の何れかを通過し、ｓｉｎ信号の周波数の通過帯域以外の周波数をカットする。
バンドパスフィルタ回路１７のバンドパスフィルタ１７１〜１７３の何れかより切替回路１８を介して出力する周波数は、それぞれ２つの掛算回路１９、２０のｙ側に入力する。２つの掛算回路１９、２０のｘ側にはｓｉｎ信号、ｃｏｓ信号が入力する。それぞれの掛算回路１９、２０の通過によって、周波数をそれぞれの掛算回路１９，２０の結果は、非常に低い周波数帯域を通過させるローパスフィルタ２１、２２において、ノイズ信号が消され、ＤＣ信号が取り出される。そして、それぞれのＤＣ信号は制御装置２のＡ／Ｄ変換器２３、２４でデジタルデータに変換し、ＣＰＵ３に入力する。ＣＰＵ３は、スイッチ電極１１１、１１２、１１３、１１４の順番に、スイッチ選択２７とスイッチ選択２６を介して、切替回路８と切替回路１３を逐次制御して、デジタルデータを入力する。
【００２１】
図３の（１）に、本実施例のタッチスイッチのオン／オフを計測する場合の掛算回路１９，２０の波形図を示す。掛算回路１９、２０のｘ側の入力には、ｓｉｎ信号あるいはｃｏｓ信号を入力する。抵抗１４の片側はＧＮＤに接続する。ｙ側の入力には、増幅回路７を通過したｓｉｎ信号が切替回路８、コンデンサ１０１を介して接続したスイッチ電極群１１のスイッチ電極１１１に、切替回路１３、抵抗１４、バンドパスフィルタ回路１７、切替回路１８を介して接続する。
例えば、人間の指等が、スイッチ電極群１１のスイッチ電極１１１に近づくと、電流ｉ１は、ドライブ線を接続しているスイッチ電極群１１のスイッチ電極１１１から指等を介し、電流が流れて変化し、抵抗１４の両端に電位差Ｅ１に変化が発生し、掛算回路１９、２０のｙ側に入力する。ｘ側とｙ側の入力信号は、掛算され真の電流値のＡＣ信号だけがＤＣ信号を含む２倍のＡＣ周波数になり、次のローパスフィルタ２１、２２を通すことでＤＣ信号になる。スイッチ電極群１１のスイッチ電極１１１に他の周波数成分であるノイズが混入しても、ノイズの周波数は全てｓｉｎ信号・ｃｏｓ信号との掛算によりｓｉｎ信号・ｃｏｓ信号の周波数より高い周波数のＡＣ信号になりｓｉｎ信号・ｃｏｓ信号の周波数より十分低いローパスフィルタ２１，２２を通すことでなくなる。このようにして、人間の指等が、スイッチ電極１１１に近づいていることを把握することができる。
また、図３の（２）には、図３の（１）のコンデンサ１０１の代わりに抵抗Ｒ’にした場合の図である。コンデンサ１０１と抵抗Ｒ’のインピーダンスが同じならば、図３の（１）に対してローパスフィルタ２１、２２からのＤＣ信号の値は、コンデンサと抵抗の位相差による違いによって、ベクトルや位相の違いはあるが、図４の説明の式によりベクトルの大きさは同じになる。
図３の（３）には、図３の（１）のコンデンサ１０１と電極１１１の位置を変更した場合の図である。動作は図３の（１）と同等になる。
【００２２】
図４に、本発明の入力信号レベルと位相差図を示す。図３の掛算回路１９、２０でｓｉｎ信号と掛算された入力信号はローパスフィルタ２１を介してｓｉｎによる検出信号になり、ｃｏｓ信号と掛算された入力信号はローパスフィルタ２２を介してｃｏｓによる検出信号になる。ここで、電源投入時等の初期化の状態で、スイッチ電極群１１のスイッチ電極１１１〜１１４に人間の指等が接していない状態での、ｓｉｎ信号との掛算にローパスフィルタ２１を介した検出信号Ｘと、ｃｏｓ信号との掛算にローパスフィルタ２２による検出信号ＹとからＡ／Ｄ変換器２３、２４を介して計測し、計測した値をベクトル値とし、特に、電源投入時等でのベクトル値をオフセット値と呼ぶ。
そして、そのオフセット値のｓｉｎ信号側をＸｏｆｆｓｅｔ値、ｃｏｓ信号側をＹｏｆｆｓｅｔ値とする。そして、計測を行うときには、そのときのｓｉｎ信号との掛算にローパスフィルタ２１を介した検出信号Ｘとｃｏｓ信号との掛算にローパスフィルタ２２を介した検出信号Ｙとから入力信号のベクトル値とオフセット値の差分の大きさは、式ルート（（Ｘ-Ｘｏｆｆｓｅｔ）の二乗＋（Ｙ-Ｙｏｆｆｓｅｔ）の二乗）を計算する。また、位相差は式アークタンジェント（（Ｘ-Ｘｏｆｆｓｅｔ）／（Ｙ-Ｙｏｆｆｓｅｔ））から求められる。
入力信号のベクトル値、位相差を求め利用することは、精度が要求される位置座標検出等にはとても有効な手段である。
【００２３】
図５に人間の指とスイッチ電極との関係を示す。図５の（１）は、人間の指がスイッチ電極より十分に離れている場合である。人間の指が、スイッチ電極群１１のスイッチ電極１１１より十分に離れていても、指とスイッチ電極群Ａ１０のスイッチ電極１０１の間には静電容量は発生する。しかし、人間の指とスイッチ電極の距離があるため、静電容量が非常に小さくなり、電流Δｉが、スイッチ電極群１１のスイッチ電極１１１から指を介して大地にほとんど流れないため、増幅回路７を介して供給しているｓｉｎ信号は、コンデンサ１０１を介して、電流が抵抗１４に流れる。このときの抵抗１４の両端の電圧を検出する電流電圧変換回路１５からのｓｉｎ信号の電圧は、電源投入時等の初期化の状態と同じ程度のため、その後の増幅回路１６、バンドパスフィルタ回路１７のバンドフィルタ１７１〜１７３の何れかを介し、ｓｉｎ信号、ｃｏｓ信号との掛算回路１９、２０、及び、ローパスフィルタ２１、２２を通った信号は電源投入時等の初期化の状態と変化しない。
【００２４】
図５の（２）は、人間の指がスイッチ電極１１１に近接した場合である。
人間の指とスイッチ電極群１１のスイッチ電極１１１とがコンデンサを形成し、そのため、静電容量が発生し、電流Δｉがスイッチ電極群１１のスイッチ電極１１１から指を介して大地に流れだし、電流Δｉを失う。そのため、増幅回路７を介して供給しているｓｉｎ信号は、コンデンサ１０１を介して、抵抗１４に流れる電流の一部の電流Δｉがスイッチ電極１１１から指を介して大地に流れだすため、電源投入時等の初期化の状態より電流が小さくなる。このときの抵抗１４の両端の電圧を検出する電流電圧変換回路１５からのｓｉｎ信号の電圧は、電源投入時等の初期化の状態より振幅が小さくなり、その後の増幅回路１６、バンドパスフィルタ回路１７のバンドフィルタ１７１〜１７３の何れかを介し、ｓｉｎ信号、ｃｏｓ信号との掛算回路１９、２０、及び、ローパスフィルタ２１、２２を通った信号は電源投入時等の初期化の状態より振幅が小さくなる。
【００２５】
人間の指がスイッチ電極群１１のスイッチ電極１１１に指が十分に離れている時の電流ｉ１を前もって測定し、近接したときの電流ｉ１をタッチスイッチ１２１がオン状態となる電流の変化量を閾値とすることで、タッチスイッチとして動作する。
【００２６】
図６にｓｉｎ信号掛算波形図を示す。ａ・ｓｉｎαとｂ・ｓｉｎαを掛けると式は、  （ａ・ｓｉｎα）・（ｂ・ｓｉｎα）＝（ａ・ｂ／２）−（ａ・ｂ・ｃｏｓ２α）／２となり、ａ・ｂ／２だけ加えられたところに２倍の周波数の半分になったｃｏｓ信号がある。この演算結果が十分低いローパスフィルタ２１または２２を通過するとｃｏｓ信号分が０となり、ａ・ｂ／２の定数のみになる。この式によりａ・ｓｉｎαの周波数以外のノイズ周波数が混入してもノイズ周波数をカットし、ノイズ周波数による影響はなくなる。
【００２７】
図７は、スイッチ電極へ混入するｓｉｎ信号と同じ周波数のノイズを計測する場合の入力装置の構成図である。図２の構成図におけるスイッチ選択２７より切替回路８のスイッチ８１〜８４を未接続にし、ｓｉｎ信号は増幅回路７により、切替回路８のスイッチ８１〜８４に対応したコンデンサ１０１〜１０４、及び、コンデンサ１０１〜１０４を介して接続するスイッチ電極群１１のスイッチ電極１１１〜１１４に印加しない状態にする。かつ、スイッチ選択２６より切替回路１３のスイッチ１３１を選択して接続し、その他のスイッチ１３２〜１３４を未接続し、スイッチ電極群１１のスイッチ電極１１１を切替回路１３のスイッチ１３１を介して抵抗１４と接続した状態で、ＣＰＵ３がデジタルデータを入力する。この図７の状態でのスイッチ電極へ混入するｓｉｎ信号と同じ周波数のノイズ計測時の関係図を図８に示す。
【００２８】
図８の（１）はノイズがない場合で、抵抗１４に電流が流れないため、電流電圧変換回路１５、増幅回路１６、バンドパスフィルタ回路１７、切替回路１８、掛算回路１９、２０、ローパスフィルタ２１、２２、Ａ／Ｄ変換器２３，２４を介して、計測するデジタルデータはＧＮＤのデジタルデータがＣＰＵ３にて計測する。
図８の（２）はｓｉｎ信号と違う周波数のノイズある場合で、抵抗１４に電流が流れ、電流電圧変換回路１５、増幅回路１６、バンドパスフィルタ回路１７、切替回路１８、掛算回路１９、２０に進むが、掛算回路１９、２０でＤＣ信号が含まれない交流だけの信号がローパスフィルタ２１、２２に出力されるが、ローパスフィルタ２１，２２で交流の信号がカットされるため、ローパスフィルタ２１、２２で取り出されるＤＣ信号はＧＮＤとなり、Ａ／Ｄ変換器２３、２４を介して、ＣＰＵ３がＧＮＤのデジタルデータを計測する。
図８の（３）はｓｉｎ信号と同じ周波数のノイズある場合で、抵抗１４に電流が流れ、電流電圧変換回路１５、増幅回路１６、バンドパスフィルタ回路１７、切替回路１８、掛算回路１９，２０に進み、掛算回路１９、２０でＤＣ信号を含んだ交流の信号がローパスフィルタ２１，２２に出力され、ローパスフィルタ２１，２２で交流がカットされ、ローパスフィルタ２１、２２で取り出されるＤＣ信号が、Ａ／Ｄ変換器２３、２４を介して、ＣＰＵ３がデジタルデータを計測する。
【００２９】
そこで、図７のスイッチ電極へ混入するｓｉｎ信号と同じ周波数のノイズをＣＰＵ３が計測しているときに、ＧＮＤ近傍以外のデジタルデータをＣＰＵ３が計測した場合、ＣＰＵ３は、ｓｉｎ信号と同じ周波数のノイズがあると判断し、発振器４の発振周波数を制御して、ｓｉｎ信号、ｃｏｓ信号の周波数をノイズの周波数と違う周波数に変更し、さらに、ｓｉｎ信号の周波数帯域に対応したバンドパスフィルタ回路１７のバンドパスフィルタ１７１〜１７３の何れかを切替回路１８によって設定する。
【００３０】
図９と図１０を用いて制御フローを説明する。図９は、実施例１の制御フローを表し、図１０は、制御フローに使用するＲＯＭ２８、ＲＡＭ２９に配置しているメモリを表している。まず、外部処理装置３１に接続する外部Ｉ／Ｆ３０を初期化する（Ｓ１）（Ｓはステップを表す）。そして、ＲＡＭ２９に配置しているＨとＩの変数を０に設定する（Ｓ２、Ｓ３）。
【００３１】
そして、ＲＯＭ２８に保存している発振周波数のデータを３種類保存するデータテーブルＨＺのＩ番目の発振周波数のデータを発振器４に設定する。この発振器４からの信号を２つの同期発信回路５、６より出力するｓｉｎ信号、ｃｏｓ信号の周波数に対応する、バンドパスフィルタ回路１７のバンドフィルタ１７１〜１７３の何れかを選択するデータを保存するデータテーブルＨＺＦＩＬのＩ番目のデータを、スイッチ選択２５を介して切替回路１８のスイッチ１８１〜１８３に設定する（Ｓ４）。
次に入力エリア１２１のデジタルデータを計測するため、スイッチ電極群１１のスイッチ電極１１１に、発振器４からの同期発信器５よりのｓｉｎ信号を、増幅回路７を介して印加し、かつ、計測し、その他のタッチスイッチを構成するスイッチ電極には、印加せず、かつ、計測しないように、スイッチ選択２７を介して制御する切替回路８ではスイッチ８１のみを接続し、スイッチ選択２６を介して制御する切替回路１３ではスイッチ１３１のみ接続して設定する。そして、そのときの発振器４からの同期発信器５よりのｓｉｎ信号で計測したＡ／Ｄ変換器２３を介したデジタルデータと、発振器４からの同期発信器６よりのｃｏｓ信号で計測したＡ／Ｄ変換器２４を介したデジタルデータとを、ＲＡＭ２９上に配置した一次元配列ＳＷ１＿Ｘｏｆｆｓｅｔ、ＳＷ１＿ＹｏｆｆｓｅｔのＩ番目に保存する（Ｓ５）。
同様に入力エリア１２２のデジタルデータを計測するため、スイッチ電極群１１のスイッチ電極１１２に、発振器４からの同期発信器５よりのｓｉｎ信号を、増幅回路７を介して印加し、かつ、計測し、その他のタッチスイッチを構成するスイッチ電極には、印加せず、かつ、計測しないように、スイッチ選択２７を介して制御する切替回路８ではスイッチ８２のみを接続し、スイッチ選択２６を介して制御する切替回路１３ではスイッチ１３２のみ接続して設定する。そして、そのときの発振器４からの同期発信器５よりのｓｉｎ信号で計測したＡ／Ｄ変換器２３を介したデジタルデータと、発振器４からの同期発信器６よりのｃｏｓ信号で計測したＡ／Ｄ変換器２４を介したデジタルデータとをｓｉｎ信号で計測したＡ／Ｄ変換器２３を介したデジタルデータとを、ＲＡＭ２９上に配置した一次元配列ＳＷ２＿Ｘｏｆｆｓｅｔ、ＳＷ２＿ＹｏｆｆｓｅｔのＩ番目に保存する（Ｓ６）。
同様に入力エリア１２３のデジタルデータを計測するため、スイッチ電極群１１のスイッチ電極１１３に、発振器４からの同期発信器５よりのｓｉｎ信号を、増幅回路７を介して印加し、かつ、計測し、その他のタッチスイッチを構成するスイッチ電極には、印加せず、かつ、計測しないように、スイッチ選択２７を介して制御する切替回路８ではスイッチ８３のみを接続し、スイッチ選択２６を介して制御する切替回路１３ではスイッチ１３３のみ接続して設定する。そして、そのときの発振器４からの同期発信器５よりのｓｉｎ信号で計測したＡ／Ｄ変換器２３を介したデジタルデータと、発振器４からの同期発信器６よりのｃｏｓ信号で計測したＡ／Ｄ変換器２４を介したデジタルデータとをｓｉｎ信号で計測したＡ／Ｄ変換器２３を介したデジタルデータとを、ＲＡＭ２９上に配置した一次元配列ＳＷ３＿Ｘｏｆｆｓｅｔ、ＳＷ３＿ＹｏｆｆｓｅｔのＩ番目に保存する（Ｓ７）。
同様に入力エリア１２４のデジタルデータを計測するため、スイッチ電極群１１のスイッチ電極１１４に、発振器４からの同期発信器５よりのｓｉｎ信号を、増幅回路７を介して印加し、かつ、計測し、その他のタッチスイッチを構成するスイッチ電極には、印加せず、かつ、計測しないように、スイッチ選択２７を介して制御する切替回路８ではスイッチ８４のみを接続し、スイッチ選択２６を介して制御する切替回路１３ではスイッチ１３４のみ接続して設定する。そして、そのときの発振器４からの同期発信器５よりのｓｉｎ信号で計測したＡ／Ｄ変換器２３を介したデジタルデータと、発振器４からの同期発信器６よりのｃｏｓ信号で計測したＡ／Ｄ変換器２４を介したデジタルデータとをｓｉｎ信号で計測したＡ／Ｄ変換器２３を介したデジタルデータとを、ＲＡＭ２９上に配置した一次元配列ＳＷ４＿Ｘｏｆｆｓｅｔ、ＳＷ４＿ＹｏｆｆｓｅｔのＩ番目に保存する（Ｓ８）。
同様にｓｉｎ信号と同じ周波数のノイズのデジタルデータを計測するため、スイッチ電極群１１のスイッチ電極１１１をノイズ計測用に設定する。この際、スイッチ電極１１１には、発振器４からの同期発信器５よりのｓｉｎ信号を、増幅回路７を介して印加しないが、計測は行い、その他のスイッチ電極には、印加せず、かつ、計測しないように、スイッチ選択２７を介して制御する切替回路８ではスイッチ８１〜８４を未接続にし、スイッチ選択２６を介して制御する切替回路１３ではスイッチ１３１のみ接続して設定する。そして、そのときの発振器４からの同期発信器５よりのｓｉｎ信号で計測したＡ／Ｄ変換器２３を介したデジタルデータと、発振器４からの同期発信器６よりのｃｏｓ信号で計測したＡ／Ｄ変換器２４を介したデジタルデータとを、ＲＡＭ２９上に配置した一次元配列ＮＯＩＳＥ＿Ｘｏｆｆｓｅｔ、ＮＯＩＳＥ＿ＹｏｆｆｓｅｔのＩ番目に保存する（Ｓ９）。このときに、ｓｉｎ信号と違う周波数のノイズやノイズがない場合のデジタルデータは、ＧＮＤ近傍のＧＮＤ＿Ｘ、ＧＮＤ＿Ｙのデジタルデータを示す。このＧＮＤ＿Ｘ、ＧＮＤ＿Ｙは、ＲＯＭ２８上に予め配置している。
そして、Ｓ１０では、式ルート（（ＮＯＩＳＥ＿ＸｏｆｆｓｅｔのＩ番目−ＧＮＤ＿Ｘ）の二乗＋（ＮＯＩＳＥ＿ＹｏｆｆｓｅｔのＩ番目−ＧＮＤ＿Ｙ）の二乗）の値が、ＲＯＭ２８上に配置しているｓｉｎ信号と同じ周波数のノイズが混入したかの閾値ＮＯＩＳＥ＿ＭＡＸ以上と判断した場合、Ｓ１２に進み、未満と判断した場合、ＨにＩを代入（Ｓ１１）して、Ｓ１２に進む。
【００３２】
そして、Ｉに１を加え（Ｓ１２）、Ｉが３未満ならばＳ４に進み、Ｉが３以上ならばＳ１４に進む。このＳ３からＳ１３のループは、電源投入時の発振器４の３種類の発振周波数に対応したスイッチ電極１１１〜１２４に対応したタッチスイッチのオフセット値の計測およびノイズの計測をするためのキャリブレーションを表している。
Ｓ１４では、ＲＯＭ２８に保存している発振周波数のデータを３種類保存するデータテーブルＨＺのＨ番目の発振周波数のデータを発振器４に設定する。この発振器４からの信号を２つの同期発信回路５、６より出力するｓｉｎ信号、ｃｏｓ信号の周波数に対応する、バンドパスフィルタ回路１７のバンドフィルタ１７１〜１７３の何れかを選択するデータを保存するデータテーブルＨＺＦＩＬのＨ番目のデータを、スイッチ選択２５を介して切替回路１８のスイッチ１８１〜１８３に設定する。
【００３３】
これらのＳ２からＳ１４は、起動時にｓｉｎ信号と同じ周波数のノイズの混入ない周波数を選択する工程である。
Ｓ１５では、ｓｉｎ信号と同じ周波数のノイズのデジタルデータを計測するため、スイッチ電極群１１のスイッチ電極１１１をノイズ計測用に設定する。この際、スイッチ電極１１１には、発振器４からの同期発信器５よりのｓｉｎ信号を、増幅回路７を介して印加しないが、計測は行い、その他のスイッチ電極には、印加せず、かつ、計測しないように、スイッチ選択２７を介して制御する切替回路８ではスイッチ８１〜８４を未接続にし、スイッチ選択２６を介して制御する切替回路１３ではスイッチ１３１のみ接続して設定する。そして、そのときの発振器４からの同期発信器５よりのｓｉｎ信号で計測したＡ／Ｄ変換器２３を介したデジタルデータと、発振器４からの同期発信器６よりのｃｏｓ信号で計測したＡ／Ｄ変換器２４を介したデジタルデータとを、ＲＡＭ２９上に配置した一次元配列ＮＯＩＳＥ＿Ｘ、ＮＯＩＳＥ＿ＹのＨ番目に保存する。（Ｓ９）
このＳ１５は、ｓｉｎ信号と同じ周波数のノイズの計測を行う工程である。
【００３４】
そして、Ｓ１６では、式ルート（（ＮＯＩＳＥ＿ＸのＨ番目−ＧＮＤ＿Ｘ）の二乗＋（ＮＯＩＳＥ＿ＹのＨ番目−ＧＮＤ＿Ｙ）の二乗）の値が、ＲＯＭ２８上に配置しているｓｉｎ信号と同じ周波数のノイズが混入したかの閾値ＮＯＩＳＥ＿ＭＡＸ未満で、かつ、式ルート（（ＮＯＩＳＥ＿ＸｏｆｆｓｅｔのＨ番目−ＧＮＤ＿Ｘ）の二乗＋（ＮＯＩＳＥ＿ＹｏｆｆｓｅｔのＨ番目−ＧＮＤ＿Ｙ）の二乗）の値が、閾値ＮＯＩＳＥ＿ＭＡＸ未満と判断した場合、Ｓ１７に進み、それ以外の場合、Ｓ３３に進む。
【００３５】
このＳ１６は、ｓｉｎ信号と同じ周波数のノイズの混入を判断する工程である。
次に入力エリア１２１のデジタルデータを計測するため、スイッチ電極群１１のスイッチ電極１１１に、発振器４からの同期発信器５よりのｓｉｎ信号を、増幅回路７を介して印加し、かつ、計測し、その他のスイッチ電極には、印加せず、かつ、計測しないように、スイッチ選択２７を介して制御する切替回路８ではスイッチ８１のみを接続し、スイッチ選択２６を介して制御する切替回路１３ではスイッチ１３１のみ接続して設定する。そして、そのときの発振器４からの同期発信器５よりのｓｉｎ信号で計測したＡ／Ｄ変換器２３を介したデジタルデータと、発振器４からの同期発信器６よりのｃｏｓ信号で計測したＡ／Ｄ変換器２４を介したデジタルデータとを、ＲＡＭ２９上に配置した一次元配列ＳＷ１＿Ｘ、ＳＷ１＿ＹのＨ番目に保存する（Ｓ１７）。
同様に入力エリア１２２のデジタルデータを計測するため、スイッチ電極群１１のスイッチ電極１１２に、発振器４からの同期発信器５よりのｓｉｎ信号を、増幅回路７を介して印加し、かつ、計測し、その他のタッチスイッチを構成するスイッチ電極には、印加せず、かつ、計測しないように、スイッチ選択２７を介して制御する切替回路８ではスイッチ８２のみを接続し、スイッチ選択２６を介して制御する切替回路１３ではスイッチ１３２のみ接続して設定する。そして、そのときの発振器４からの同期発信器５よりのｓｉｎ信号で計測したＡ／Ｄ変換器２３を介したデジタルデータと、発振器４からの同期発信器６よりのｃｏｓ信号で計測したＡ／Ｄ変換器２４を介したデジタルデータとをｓｉｎ信号で計測したＡ／Ｄ変換器２３を介したデジタルデータとを、ＲＡＭ２９上に配置した一次元配列ＳＷ２＿Ｘ、ＳＷ２＿ＹのＨ番目に保存する（Ｓ１８）。
同様に入力エリア１２３のデジタルデータを計測するため、スイッチ電極群１１のスイッチ電極１１３に、発振器４からの同期発信器５よりのｓｉｎ信号を、増幅回路７を介して印加し、かつ、計測し、その他のタッチスイッチを構成するスイッチ電極には、印加せず、かつ、計測しないように、スイッチ選択２７を介して制御する切替回路８ではスイッチ８３のみを接続し、スイッチ選択２６を介して制御する切替回路１３ではスイッチ１３３のみ接続して設定する。そして、そのときの発振器４からの同期発信器５よりのｓｉｎ信号で計測したＡ／Ｄ変換器２３を介したデジタルデータと、発振器４からの同期発信器６よりのｃｏｓ信号で計測したＡ／Ｄ変換器２４を介したデジタルデータとをｓｉｎ信号で計測したＡ／Ｄ変換器２３を介したデジタルデータとを、ＲＡＭ２９上に配置した一次元配列ＳＷ３＿Ｘ、ＳＷ３＿ＹのＨ番目に保存する（Ｓ１９）。
同様に入力エリア１２４のデジタルデータを計測するため、スイッチ電極群１１のスイッチ電極１１４に、発振器４からの同期発信器５よりのｓｉｎ信号を、増幅回路７を介して印加し、かつ、計測し、その他のタッチスイッチを構成するスイッチ電極には、印加せず、かつ、計測しないように、スイッチ選択２７を介して制御する切替回路８ではスイッチ８４のみを接続し、スイッチ選択２６を介して制御する切替回路１３ではスイッチ１３４のみ接続して設定する。そして、そのときの発振器４からの同期発信器５よりのｓｉｎ信号で計測したＡ／Ｄ変換器２３を介したデジタルデータと、発振器４からの同期発信器６よりのｃｏｓ信号で計測したＡ／Ｄ変換器２４を介したデジタルデータとをｓｉｎ信号で計測したＡ／Ｄ変換器２３を介したデジタルデータとを、ＲＡＭ２９上に配置した一次元配列ＳＷ４＿Ｘ、ＳＷ４＿ＹのＨ番目に保存する（Ｓ２０）。
そして、Ｓ２１では、式ルート（（ＳＷ１＿ＸのＨ番目−ＳＷ１＿ＸｏｆｆｓｅｔのＨ番目）の二乗＋（ＳＷ１＿ＹのＨ番目−ＳＷ１＿ＹｏｆｆｓｅｔのＨ番目）の二乗）の値が、スイッチ電極１１１に指および手が近傍に接していると判断するＲＯＭ２８上に配置している閾値ＳＷ１＿ＯＮ＿ＬＥＶＥＬ以上の場合、Ｓ２２に進み、外部Ｉ／Ｆ３０にスイッチ電極１１１に対応するタッチスイッチＳＷ１がＯＮであることを設定し、Ｓ２４に進む。閾値ＳＷ１＿ＯＮ＿ＬＥＶＥＬ未満の場合、Ｓ２３に進み、外部Ｉ／Ｆ３０にスイッチ電極１１１に対応するタッチスイッチＳＷ１がＯＦＦであることを設定し、Ｓ２４に進む。
Ｓ２４では、式ルート（（ＳＷ２＿ＸのＨ番目−ＳＷ２＿ＸｏｆｆｓｅｔのＨ番目）の二乗＋（ＳＷ２＿ＹのＨ番目−ＳＷ２＿ＹｏｆｆｓｅｔのＨ番目）の二乗）の値が、スイッチ電極１１２に指および手が近傍に接していると判断するＲＯＭ２８上に配置している閾値ＳＷ２＿ＯＮ＿ＬＥＶＥＬ以上の場合、Ｓ２５に進み、外部Ｉ／Ｆ３０にスイッチ電極１１２に対応するタッチスイッチＳＷ２がＯＮであることを設定し、Ｓ２７に進む。閾値ＳＷ２＿ＯＮ＿ＬＥＶＥＬ未満の場合、Ｓ２６に進み、外部Ｉ／Ｆ３０にスイッチ電極１１２に対応するタッチスイッチＳＷ２がＯＦＦであることを設定し、Ｓ２７に進む。
Ｓ２７では、式ルート（（ＳＷ３＿ＸのＨ番目−ＳＷ３＿ＸｏｆｆｓｅｔのＨ番目）の二乗＋（ＳＷ３＿ＹのＨ番目−ＳＷ３＿ＹｏｆｆｓｅｔのＨ番目）の二乗）の値が、スイッチ電極１１３に指および手が近傍に接していると判断するＲＯＭ２８上に配置している閾値ＳＷ３＿ＯＮ＿ＬＥＶＥＬ以上の場合、Ｓ２８に進み、外部Ｉ／Ｆ３０にスイッチ電極１１３に対応するタッチスイッチＳＷ３がＯＮであることを設定し、Ｓ３０に進む。閾値ＳＷ３＿ＯＮ＿ＬＥＶＥＬ未満の場合、Ｓ２９に進み、外部Ｉ／Ｆ３０にスイッチ電極１１３に対応するタッチスイッチＳＷ３がＯＦＦであることを設定し、Ｓ３０に進む。
Ｓ３０では、式ルート（（ＳＷ４＿ＸのＨ番目−ＳＷ４＿ＸｏｆｆｓｅｔのＨ番目）の二乗＋（ＳＷ４＿ＹのＨ番目−ＳＷ４＿ＹｏｆｆｓｅｔのＨ番目）の二乗）の値が、スイッチ電極１１４指および手が近傍に接していると判断するＲＯＭ２８上に配置している閾値ＳＷ４＿ＯＮ＿ＬＥＶＥＬ以上の場合、Ｓ３１に進み、外部Ｉ／Ｆ３０にスイッチ電極１１４に対応するタッチスイッチＳＷ４がＯＮであることを設定し、Ｓ１５に戻る。閾値ＳＷ４＿ＯＮ＿ＬＥＶＥＬ未満の場合、Ｓ３２に進み、外部Ｉ／Ｆ３０にスイッチ電極１１４に対応するタッチスイッチＳＷ４がＯＦＦであることを設定し、Ｓ１５に戻る。
【００３６】
これらのＳ１７からＳ３２は、スイッチの計測を行う工程である。
ここで、Ｓ１７からＳ２０において、スイッチ電極１１１〜１１４に対応するｓｉｎ側、ｃｏｓ側のデジタルデータを一旦ＦＩＦＯのバッファに保存し、さらに、デジタルデータを複数回計測し、バッファに保存し、このバッファの内容から最大値、最小値を除いた平均値をＳＷ１＿Ｘ、ＳＷ１＿Ｙ、ＳＷ２＿Ｘ、ＳＷ２＿Ｙ、ＳＷ３＿Ｘ、ＳＷ３＿Ｙ、ＳＷ４＿Ｘ、ＳＷ４＿Ｙの各Ｈ番目保存することにより、さらにノイズに対処して、スイッチ電極１１１〜１１４に対応するタッチスイッチＳＷ１〜ＳＷ４のオン、オフ情報の精度良くする。
【００３７】
また、Ｓ３３では、Ｈに１を加え、Ｈが３未満ならば、Ｓ１４に戻り、Ｈが３以上ならば、Ｈを０にして（Ｓ３５）、Ｓ１４に戻る。
【００３８】
これらのＳ３３からＳ３５、Ｓ１４は、ｓｉｎ信号と同じ周波数のノイズの混入が有る場合、ｓｉｎ信号の周波数を違う周波数に変更させる工程である。本実施例では、３つの違う周波数を順次変えて行っているが、乱数を用いて周波数を変更してもよい。
【符号の説明】
【００３９】
１      指
２      制御装置
３      ＣＰＵ
４      発振器
５      同期発信回路
６      同期発信回路
７      増幅回路
８      切替回路
８１    スイッチ
８２    スイッチ
８３    スイッチ
８４    スイッチ
９      パネルスイッチ
１０１  コンデンサ
１０２  コンデンサ
１０３  コンデンサ
１０４  コンデンサ
１１    スイッチ電極群
１１１  スイッチ電極
１１２  スイッチ電極
１１３  スイッチ電極
１１４  スイッチ電極
１２１  入力エリア
１２２  入力エリア
１２３  入力エリア
１２４  入力エリア
１３    切替回路
１３１  スイッチ
１３２  スイッチ
１３３  スイッチ
１３４  スイッチ
１４    抵抗
１５    電流電圧変換器
１６    増幅回路
１７    バンドパスフィルタ回路
１７１  バンドパスフィルタ
１７２  バンドパスフィルタ
１７３  バンドパスフィルタ
１８    切替回路
１８１  スイッチ
１８２  スイッチ
１８３  スイッチ
１９    掛算回路
２０    掛算回路
２１    ローパスフィルタ
２２    ローパスフィルタ
２３    Ａ／Ｄ変換器
２４    Ａ／Ｄ変換器
２５    スイッチ選択
２６    スイッチ選択
２７    スイッチ選択
２８    ＲＯＭ
２９    ＲＡＭ
３０    外部Ｉ／Ｆ
３１    外部処理装置
【図１】
2014230226.tif 000003
【図２】
2014230226.tif 000004
【図３】
2014230226.tif 000005
【図４】
2014230226.tif 000006
【図５】
2014230226.tif 000007
【図６】
2014230226.tif 000008
【図７】
2014230226.tif 000009
【図８】
2014230226.tif 000010
【図９】
2014230226.tif 000011
【図１０】
2014230226.tif 000012